(57)【要約】【課題】本発明は、向上した動作可能性を有する対応する歯科装置を要求する目的に基づいている。【解決手段】口洗浄コップに注入する供給装置（７）と、当該口洗浄コップ（２）の保持具（３）であって、実質的に水平軸（４）の周りに回転可能なように装着される保持具（３）と保持具（３）の回転位置、もしくは、軸（４）に関連するトルクを検出するセンサー要素とを有し、所定の回転位置もしくは所定のトルクに到達すると停止する供給装置によって供給が行われる口洗浄コップ（２）に自動的に注入する歯科装置において、口洗浄コップ（５）の少なくとも２つの位置（Ａ，Ｂ）が、保持具（３）上に、規定され、及び／または、印が付けられ、当該２つの位置（Ａ，Ｂ）は上記軸（４）に関連する距離が異なっている、ことを特徴とする。【選択図】図１
2010508103.tif 000002
【特許請求の範囲】
【請求項１】
口洗浄コップに注入する供給装置（７）と、
当該口洗浄コップ（２）の保持具（３）であって、実質的に水平軸（４）の周りに回転可能なように装着された保持具（３）と、
該保持具（３）の回転位置、もしくは、該軸（４）に関連するトルクを検出するセンサー要素（１２）と
を有し、
所定の回転位置もしくは所定のトルクに到達すると停止する供給装置によって供給が行われる口洗浄コップ（２）に自動的に注入する歯科装置において、
口洗浄コップ（５）の少なくとも２つの位置（Ａ，Ｂ）が、保持具（３）上に、規定され、及び／または、印が付けられ、当該２つの位置（Ａ，Ｂ）は上記軸（４）に関連する距離が異なっている、
ことを特徴とする歯科装置。
【請求項２】
位置決め装置（５）が設けられ、当該位置決め装置は、上記２つの位置（Ａ，Ｂ）が規定される、例えば環状の２つの止めを有している
請求項１の歯科装置。
【請求項３】
好適には、軸（４）に垂直に、上記保持具（３）に対して変移可能な位置決め装置が設けられている
請求項１の歯科装置。
【請求項４】
該位置決め装置（５）は、好適に例えば当該口洗浄コップ（２）の環状リセプタクルの形をした止めを有する
請求項３の歯科装置。
【請求項５】
該位置決め装置（５）は、上記保持具（３）に着脱可能に接続されている
請求項２から４のいずれかの歯科装置。
【請求項６】
重力に抗して上方に上記保持具（３）を押す圧縮バネ（６）を有する
上記請求項のいずれかの歯科装置。
【請求項７】
上記保持具（３）の上向きの動きを制限する保持具止め（８）を有する
請求項６の歯科装置。
【請求項８】
例えば光電バリアの方式の認識要素（１３）を有し、その手段によって上記口洗浄コップ（２）が上記保持具（３）上にあるのかが認識される
上記請求項のいずれかの歯科装置。
【請求項９】
上記供給装置（７）を制御するための弁を有する
上記請求項のいずれかの歯科装置。
【請求項１０】
上記供給装置（７）を制御することができ、かつ、上記センサー要素（１２）と認識要素（１３）に接続する制御部をさらに有し、
上記口洗浄コップ（２）が上記保持具（３）上にあり、それに加え、該センサー要素（１２）が所定値よりも小さい値を検出したことが認識されたときには該供給装置（７）を動作させるように該制御部が設計されている
請求項１、８、９のいずれかに記載の特徴を有する歯科装置。
【請求項１１】
少なくとも所定値に対応する値を上記センサー要素（１２）が検出したときは上記供給装置（７）を非動作にするように、上記制御部が設計されている
請求項１０の歯科装置。
【請求項１２】
口洗浄コップ（２）に注入を行う供給装置（７）と、
該口洗浄コップ（２）の保持具（３）と、
上記口洗浄コップ（２）に注入された水を含むことも有る該口洗浄コップ（２）の重量やトルクを検出し、上記保持具（３）上に配置された手段（１０）と、
例えば、光電バリアの方式の手段によって上記口洗浄コップ（２）が上記保持具（３）上にあるのかが認識される、認識要素（１３）と、
重量やトルクを検出する上記手段（１０）と上記認識要素（１３）に接続される制御部（１１）と
を有する口洗浄コップ（２）に自動的に注入する歯科装置において、
ｉ）  前記制御部（１１）で、検出された重量やトルクの基準値であって、上記口洗浄コップ（２）の所定の注入状態に対応する基準値が格納できるようになっており、
ｉｉ）  前記制御部は、上記口洗浄コップ（２）が上記保持具（３）上にあり、それに加え、上記手段（１０）により検出された重量やトルクが基準値よりも小さいときに、供給装置（７）を動作させる
歯科装置。
【請求項１３】
口洗浄コップ（２）に注入する供給装置（７）と、
上記供給装置（７）を動作させる操作器（９）と、
上記口洗浄コップ（２）の保持具（３）と、
上記口洗浄コップ（２）に注入される水が含まれることも有り、上記保持具（３）上に置かれる上記口洗浄コップ（２）の重量やトルクを検出する手段（１０）と、
重量やトルクを検出する上記手段（１０）に接続される制御部（１１）と
を有する口洗浄コップ（２）に自動的に注入する歯科装置において、
ｉ）  前記制御部で、検出された重量やトルクの基準値であって、上記口洗浄コップ（２）の所定の注入状態に対応する基準値を格納できるようになっており、
ｉｉ）  前記制御部は、上記操作器（９）の動作に続き、上記手段（１０）によって検出された重量やトルクが上記基準値に達するまで、上記供給装置（７）を動作させ続ける
歯科装置。
【請求項１４】
例えば光電バリアの方式の認識要素（１３）を有し、その手段によって上記口洗浄コップ（２）が上記保持具（３）上にあるのかが認識される
請求項１３の歯科装置。
【請求項１５】
重量やトルクを検出する上記手段は、力センサーを有する（１０）。
請求項１２から１４のいずれか一つの歯科装置。
【請求項１６】
上記保持具（３）にオーバーフロー管（１４）が備えられている
請求項１２から１５のいずれか一つの歯科装置。
【請求項１７】
上記オーバーフロー管（１４）は横放出管（１５）を有する。
請求項１６の歯科装置。
【請求項１８】
痰つぼ洗浄装置を更に有し、上記制御部は、重量やトルクを検出する上記手段（１０）によって検出された重量やトルクに応じて上記痰つぼ洗浄装置を動作させるように、設計されている
請求項１２から１７のいずれか一つの歯科装置。
【請求項１９】
痰つぼを有し、該痰つぼは、一方において待機位置に、他方において洗浄もしくは点検位置に変移させることができ、上記痰つぼが洗浄もしくは点検位置にあるときは上記口洗浄コップ（２）の注入が禁止される
請求項１から１８のいずれか一つの歯科装置。
【発明の詳細な説明】
【技術分野】
【０００１】
本発明は、口洗浄コップに注入する供給装置と口洗浄コップの保持具を有し、口洗浄コップに自動的に注入する歯科装置に関する。
【背景技術】
【０００２】
口洗浄コップに自動的に注入する歯科装置であって、光センサーが設けられ、その手段によって口洗浄コップが、コップのために設けられた保持具上に置かれているか否かが認識される、歯科装置が、オポジションのために刊行されたドイツ特許公報ＤＥ２００６１３５で知られている。
【０００３】
保持具は、バネの手段によって所定の初期位置に押されていて、回転の水平軸の周りに回転できるようになっている。口洗浄コップが注入されると直ちに、水が注入されているコップによって保持具に加えられるトルクが増大する。このトルクは検出され、所定の制限値で水供給が自動的に停止される。
【発明の概要】
【発明が解決しようとする課題】
【０００４】
しかし、明らかにこの装置は、口洗浄コップの所定の重さに適合するばねの設定が必要であるため、重量が異なる異種類の口洗浄コップへの使用には、一般的に適していないか、もしくは、比較的不満足な程度にのみしか適していない。
【０００５】
本発明は、向上した操作可能性を有している対応する歯科装置を要求する目的に基づいている。
この目的は、独立請求項に記載された事項を有する本発明によって達成される。特定の本発明の実施形態は独立請求項で特定される。
【課題を解決するための手段】
【０００６】
本発明の第一の観点によれば、口洗浄コップに自動的に注入をする歯科装置が提供される。本装置は、口洗浄コップに注入する供給装置と当該口洗浄コップの保持具を有しており、保持具は、実質的に水平軸の周りに回転可能なように装着される。さらに、本装置は、保持具の回転位置、もしくは、軸に関連するトルクを検出するセンサー要素を有し、所定の回転位置もしくは所定のトルクに到達すると停止する供給装置によって供給が行われる。
本発明では、口洗浄コップの少なくとも２つの位置が、保持具上に、規定され、及び／または、印が付けられ、２つの位置は軸に関連する距離が異なっている。
【０００７】
２つの位置があるために、重量が異なる口洗浄コップの２つの異なる形式に適合するように装置を設計することができる。所定値を定め、軸からの位置が異なる距離を適切に選択することによって、それぞれの口洗浄コップの重量を計算することができ、それぞれの場合での所定値が口洗浄コップの所望の注入状態に対応するようになる。
【０００８】
上記の場合において所定の注入レベルを保障するために、例えば第一の重量を有する第一の口洗浄コップに、所定の第一の位置が与えられ、第一の口洗浄コップよりも重いが形が第一の口洗浄コップと実質的に異ならない第二の口洗浄コップに、第一の位置よりも軸に近い位置の第二の位置が与えられる。
【０００９】
どちらの場合においても、それぞれ空の口洗浄コップが存在することで、回転位置またはトルクの同一な値が、それぞれの場合におけるそれぞれの口洗浄コップによって生成されるように、該位置を選択することができる。
【００１０】
本装置は、電気制御部を有していても良く、電気制御部は、供給装置およびセンサー要素に接続され、センサー要素で検出される値に応じて、供給装置を動作または非動作とする。
【００１１】
利益的には、位置決め装置が設けられ、当該位置決め装置は、２つの位置が規定される手段による、例えば湾曲した２つの止めを有している。
【００１２】
利益的には、好適に軸に垂直な保持具に対して変移可能な位置決め装置が設けられる。この場合は利益的には、位置決め装置は、例えば口洗浄コップの環状リセプタクルの形をした止めを有する。
【００１３】
利益的には、位置決め装置は、保持具に着脱可能に接続される。この目的のために、例えば、プッシュオン接続を設けることができる。
【００１４】
利益的には、重力に抗して上方に保持具を押すバネ要素が設けられる。さらに、利益的には、この場合では、保持具の上向きの動きを制限する保持具止めが設けられる。
【００１５】
さらに利益的には、例えば、光電バリアの方式の認識要素が、設けられ、その手段によって口洗浄コップが保持具上にあるのかが認識される。
【００１６】
利益的には、供給装置を制御するための例えばソレノイド弁といった弁が設けられる。
【００１７】
さらに利益的には、上記の認識要素と上記弁を有する設計の場合には、本装置は、供給装置を制御でき、かつセンサー要素と認識要素に接続する制御部をさらに有し、口洗浄コップが保持具上にあり、それに加え、センサー要素が所定値よりも小さい値を検出したことが認識要素により認識されたときに供給装置を動作させるように制御部が設計されている。
【００１８】
利益的にはこの場合には、少なくとも所定値に対応する値をセンサー要素が検出したときは供給装置を非動作にするように、制御部が設計される。
【００１９】
本発明の第二の観点によれば、口洗浄コップに自動的に注入する歯科装置が提供され、当該歯科装置は、口洗浄コップに注入を行う供給装置、口洗浄コップの保持具、口洗浄コップに注入された水を含むことも有る保持具上に置かれた口洗浄コップの重量やトルクを検出する手段を有する。
【００２０】
さらに、本装置は、例えば、光電バリアの方式の認識要素を有し、その手段によって口洗浄コップが保持具上にあるのかが認識される。さらに、本装置は、重量やトルクを検出する手段と認識要素に接続する制御部を有する。この場合制御部は、検出された重量やトルクの基準値であって、口洗浄コップの所定の注入状態に対応する基準値を制御部に格納できるように設計される。さらに、口洗浄コップが保持具上にあり、それに加え、手段により検出された重量やトルクが基準値よりも小さいときに、供給装置を動作させるように制御部が設計されている。
【００２１】
この場合は利益的に、手段により検出された重量やトルクが少なくとも基準値と同じ大きさのときは、供給装置を非動作とするように設計される。
【００２２】
これにより、コップが保持具上に置かれると直ちに、かつ、コップが、水で満たされていないとき、もしくは、所定の所望の注入状態に対応するよりも少ない水で満たされているとき、口洗浄コップが、予め設定され所望の「定値注入状態」に対応している所定の注入状態に注入されることが確保される。
特に、２つの場合のそれぞれにおいて口洗浄コップが定められた注入状態ではあるがこの注入状態を超えなくなるまで、注入（のみ）がされるので、過剰の水を注入する危険が実際上ない。
【００２３】
本発明による装置では、コップが予め設定された注入状態に対応するよりも少ない水を湛えてる場合に、口洗浄コップが保持具上に置かれると直ちに供給装置が動作するので、水を注入するための別途の操作が必要でないという利点をさらに提供する。したがって特に、口洗浄コップに注入する目的の所定のボタンのようなものを動かす必要はもはや無い。
【００２４】
所望の注入状態を比較的簡単な方法により、例えば所定の重量を有する口洗浄コップへの較正工程により、所望の注入状態を設定できるので、本装置は、重量が違う異なる口洗浄コップにも適している。
【００２５】
本発明の第三の観点によれば、口洗浄コップに自動的に注入する歯科装置が提供され、当該歯科装置は、口洗浄コップに注入する供給装置、供給装置を動作させる操作器、口洗浄コップの保持具、口洗浄コップに注入される水が含まれることがある保持具上に置かれる口洗浄コップの重量やトルクを検出する手段を有する。
【００２６】
さらに、本装置は制御部を有し、当該制御部は重量やトルクを検出する手段と操作器に接続される。この場合に制御部は、検出された重量やトルクの基準値であって、口洗浄コップの所定の注入状態に対応する基準値をその制御部に格納できるように設計される。さらに、操作器の作動に続き、手段によって検出された重量やトルクが基準値に達するまで、供給装置が制御部によって動作させ続けられるように制御部が設計される
【００２７】
利益的に、重量やトルクを検出する手段は、力センサーを有する。
【００２８】
利益的に、保持具にオーバーフロー管が設けられる。この場合は利益的に、オーバーフロー管がさらに横放出管を有する。
【００２９】
利益的に、本装置はさらに痰つぼ洗浄装置を有し、制御部は、重量やトルクを検出する手段によって検出された重量やトルクに応じて痰つぼ洗浄装置を動作させるように、設計されている。
【００３０】
こうして、痰つぼを洗浄する水消費を減らすことができる。さらに、本発明の更に有利な発展では、痰つぼを、一方において待機位置に、他方において洗浄もしくは点検位置に変移させることができ、痰つぼが洗浄もしくは点検位置にあるときは口洗浄コップの注入が禁止される。
【発明の効果】
【００３１】
本発明は、向上した動作可能性を有する対応する歯科装置が提供される。
【図面の簡単な説明】
【００３２】
【図１】図１は、本発明の第１の例の実施形態に関する概略図を示す。
【図２】図２は、本発明の第２の例の実施形態に関する概略図を示す。
【発明を実施するための形態】
【００３３】
本発明は、実施形態の例と図面を参照しながら以下のようにより十分に説明される。
ここで、
図１は、本発明の第１の例の実施形態に関する概略図を示す。
図２は、本発明の第２の例の実施形態に関する概略図を示す。
本発明の第１の例の実施形態に関する概略図が図１に示されている。口洗浄コップ２に自動的に注入する対応する歯科装置の不可欠な構成が概略的に示されている。
【００３４】
装置は、口洗浄コップ２に注入する供給装置７を有する。さらに、口洗浄装置２の保持具３が設けられている。保持具３は、例えばいわば「補助の要素」に配置し、もしくは、自律した構造部に設けることができる。
【００３５】
保持具３は、実質的に水平軸４の周りで回転可能なように装着される。さらに、圧縮バネ６が設けられ、その圧縮バネは、軸４に対して保持具３の近傍の領域で下方から保持具３を押さえ付け、及び、保持具３を、口洗浄コップ２が保持具３上に置かれていないときの目的のために設けれている、保持具止め８に押さえつける。
【００３６】
さらに、図１の略図に高度に概略的な形でのみ表示されているセンサー要素１２が設けられる。その手段により、保持具３の回転位置や、軸４に関連して保持具３に作用する対応するトルクを検出することができる。センサー要素１２は、例えばホールセンサー、スイッチ、もしくは、光電バリアのようなもので構成することができる。
【００３７】
軸４に関連する保持具３の回転位置やそれに対応するトルクの所定値への到達により、供給装置７によって行われる供給が止まるような態様に装置が設計される。この場合の所定値は、注入状態の所望の設定値に対応する。図１の略図中には表されていないが、電気制御部がこの目的に使用され、制御部は供給装置７とセンサー要素１２に適宜接続される。
【００３８】
口洗浄コップ５の少なくとも２つの異なる位置Ａ，Ｂを、保持具３上で設定することができ、２つの位置Ａ，Ｂは、軸４からの距離が異なっている。
【００３９】
この例の実施形態の場合では、位置決め装置５がこの目的のために保持具３上に設けられ、その位置決め装置は、軸４に関連して異なる距離に持っていかれるように、保持具３に対して変移させることができる。この目的のため、軸４に対して垂直な変移の方向のみが与えられる。
【００４０】
位置決め装置５は、口洗浄コップ２の環状リセプタクルの形をした止めを有し、リセプタクルの大きさは口洗浄コップ２の形に適合しており、口洗浄コップ２は、リセプタクルに置かれたとき、確実に規定の位置に持っていかれる。
【００４１】
この例の実施形態の場合では、位置決め装置５が、プッシュオン接続により、保持具３に着脱可能に接続されているようにする。これにより、装置を、様々な形の口洗浄コップに適合するように、設計することができ、これは、対応する様々な形をしたリセプタクルを有する複数の位置決め装置を設けることで達成される。
【００４２】
また、位置決め装置は、２つの、例えば幾分湾曲した止めで構成することができ、止めは、保持具３に固定的に接続され、もしくは、保持具３に形成されて、２つの位置が、いずれの場合でも口洗浄コップ２が２つの止めのいずれかと接触するように、規定される。
【００４３】
また、２つの異なる位置は少なくとも、異なる印、例えば保持具３上の色が付いた印で、区別することができる。
【００４４】
異なる位置Ａ，Ｂは、重量が異なる少なくとも２つの異なる形式の口洗浄コップに装置が適合するように設計する可能性を与える。
【００４５】
したがって、利益的に、位置Ａに置かれ第１の重量を有する第１の形式の口洗浄コップ及び位置Ｂに置かれ第１の重量と異なる第２の重量を有する第２の形式の口洗浄コップの、いずれもが保持具３を同一の回転位置に押し、もしくは、同一のトルクを生成するように、位置Ａ，Ｂが選択されることができる。こうすることで、いずれの場合においても、センサー要素１２で規定される値が同一の注入量に対応する注入状態に対応していることが確保される。
【００４６】
２つの位置Ａ，Ｂのさらなる利点は、口洗浄コップを使う場合において注入される水の量をその位置の選択により判定することができるという点において、見ることができる。第１の位置Ａに置かれた場合には、口洗浄コップ２は、位置Ｂに置かれた場合よりも大きなトルクを及ぼす。したがって、センサー要素１２が所定の規定値の場合には、位置Ａが選択されたときは少ない水が注入されており、位置Ｂが選択されたときは多くの水が注入されている。
【００４７】
上記の利点は、明らかに、口洗浄コップ２の単に２つだけでなく３以上の異なる位置が保持具３にある場合にも準じて、得られる。
【００４８】
さらに、識別要素１３が設けられ、識別要素は、例えば、遠隔センサー方式の、光電バリアー方式で構成され、保持具３上にある口洗浄コップ２を認識する役目をする。通常使用される口洗浄コップは、プラスチックコップの形式なので典型的には約２から５グラムの比較的非常に軽い重量となっており、重量検出に基づいた対応する識別は比較的難しいので、そのような遠隔センサーは例えば光学式の識別要素が有利である。
【００４９】
制御部は、さらに、識別要素１３に接続され、識別要素１３によって口洗浄コップ２が保持具３の上にあると認識されたときにだけ、供給装置７が動作するように、設計される。
【００５０】
供給装置７を動作させる目的のため、弁（図１の略図には表されていない）、例えばソレノイド弁が設けられ、制御装置の手段に対応して、弁は、動作即ち開となったり、非動作即ち閉となったりする。したがって、弁が動作しているときは水が供給装置７から送られ、弁が非動作のときは水が送られない。
【００５１】
本例の実施形態によれば、以下の対策が動作工程においてなされる。すなわち、認識装置１３により保持具３上に口洗浄コップ２があると認識され、それに加えてセンサー要素１２が規定値よりも小さい値を検出すると直ちに、供給装置７が制御部によって動作させられる。
【００５２】
口洗浄コップ２の水の量が増えるにしたがい、注入された口洗浄コップ２の重量が増え、それにより、注入された口洗浄コップ２から保持具３に作用する軸４に関連するトルクも増加する。
【００５３】
したがって、圧縮バネ６はますます圧縮される。保持具３の回転位置や対応するトルクは、センサー要素１２で検出され、規定値に到達すると、供給装置７の弁が再び電気制御部によって閉じられ、それにともなって口洗浄コップ２の注入が停止する。
【００５４】
この設計の場合、空あるいは不十分な注入の口洗浄コップ２が保持具３に置かれるとすぐに、自動的にすなわち直ちに水が注入または満たされるので、供給装置７を動作させる別途の操作工程が不要となる。
【００５５】
所定の間、例えば２もしくは数秒が、制御部による対応する値の検出と供給装置７の動作の間に設けられる。これは、十分な時間が、手動での実施、すなわち保持具３上の口洗浄コップ２の安全な位置合わせを、可能とするので、安全に寄与する。
【００５６】
患者による例えば口洗浄の目的のための、水の取り出しに続き、口洗浄コップ２が保持具３で交換される。そして、保持具３の傾きに、または、センサー要素１２によって検出された値に従って水が自動的に湛えられる。
【００５７】
供給装置７の動作の目的のために、例えば押しボタン方式の操作器９が追加的に設けられ、その手段により、供給装置７の弁を動作させたり、別途動作させることもできる。これにより、供給を開始するために保持具３に口洗浄コップ２を置く必要なく、口洗浄コップ２に水を注入することができるようになる。この場合、（ｉ）所定の注入状態に対応する所定期間の時間が経過、（ｉｉ）センサー要素１２により少なくとも所定値がもういちど検出されたとき、もしくは（ｉｉｉ）操作器７が再動作したとき、のいずれかのとき、供給停止のために設備が設けられる。
【００５８】
保持具止め８は、軸４に関連して設けられ、保持具３は、無負荷状態のときには、軽く傾斜した位置で保持され、注入された口洗浄コップ２のときには大体垂直に押される。また、空の口洗浄コップ２のときの保持具３は、保持具止め８によって垂直に保持され、また、これにより、注入のための軽く傾斜した位置に持っていかれる。
【００５９】
したがって、要約すると、第１の例の実施形態の利点は、特に以下の点で見ることができる。
【００６０】
装置は、重量が異なる口洗浄コップに適している。
【００６１】
装置の手段により、特に簡単な方法で、同一の口洗浄コップの異なる注入レベルを選択することができる。
【００６２】
別途の操作工程によって供給を動作させる必要がない。
【００６３】
第２の例の実施形態に関する概略図が、図２に示されている。この図は、口洗浄コップ２に注入するための供給装置７、操作器９を示している。第１の例の実施形態の場合のように、弁は供給装置７を動作させる役割をする。保持具３もまた口洗浄コップ２に設けられる。
【００６４】
さらに、口洗浄コップ２に注入された水も含まれることもある保持具３上に載せられた口洗浄コップ２を検出するための手段が設けられ、その手段は、典型的な実施形態では、力センサー１０の方式となっている。
【００６５】
また、第１の例の実施形態の場合の設計に従って、水が注入されることもある口洗浄コップ２の重量は、回転可能な保持具３と対応するトルクの検出により得られる。
【００６６】
さらに、例えば光電バリアの方式からなる識別要素１３を設けられ、その手段により、口洗浄コップ２が保持具３上にあるのかを識別することができる。
【００６７】
さらに、装置は、力センサー１０、識別要素１３、及び、操作器９に接続される、電気制御部１１を有している。口洗浄コップ２の所定の注入状態に対応している、基準値が制御部１１に格納される。この場合、力センサー１２の電圧が、まず増幅され、そして電気制御部１１に供給される。
【００６８】
口洗浄コップ２が保持具３上にあると識別要素１３に認識されたとき、それに加えて、力センサー１０により検出された重量が基準値よりも小さいときに、供給装置７を動作させるように制御部１１が設計される。したがって、特に、この例の実施形態の場合は、供給装置の動作の前提は、口洗浄コップ２が保持具３上にあるということが識別装置１３によって認識されることである。この変形では、操作器９、操作器９と制御装置１１との接続は単に任意となる。
【００６９】
さらに、力センサー１０からの基準値に到達するかもしくは超過するまで、供給装置７は、制御装置１１による動作が続く。この場合は直ちに、供給装置７は制御装置１１によって非動作となる。すなわち、口洗浄コップ２の水の注入が停止される。
【００７０】
それぞれの形式の口洗浄コップの対応する較正過程が実行されるならば、異なる重量を有する様々な口洗浄コップを使用することができる。較正では、それぞれの形式の口洗浄コップの所定の注入状態に対応する力センサー１０の値が決定される。
【００７１】
こういった較正過程のために、例えば以下の工程の、当業者に明白な技術的な実施が行われる。
【００７２】
（ａ）それぞれの形式の口洗浄コップ２の見本が保持具３上に置かれる。
（ｂ）操作器９の例えば、押しボタンが「長期間」、例えば約４秒押され、押下げられた位置に保持される。
（ｃ）例えば、ブーブー音の信号が、適当な手段により装置から発せられ、水が供給装置７から口洗浄コップ２に流れ始める。
（ｄ）口洗浄コップ２に所望の量の水が注入されると直ぐに、操作器９が解除される。そして、力センサー１０によって供給され、口洗浄コップのそれぞれの形式の場合での水の注入量に対応する電圧値を、電気制御部１１が格納する。
【００７３】
次からの供給装置７からの水汲みでは、制御装置１１によって、口洗浄コップ２は所望の注入状態に、すなわち以前格納された値にまで自動的に注入又は湛えられる。
【００７４】
したがって、この例の実施形態では、口洗浄コップ２の保持具３がオーバーフロー管１４に接続される。横放出管１５が、オーバーフロー管１４に備えられ、オーバーフロー管１４の下に備えられている。さらに、鉛直部分１６は貫通孔を有さないので、水の放出は、横放出管１５を通じてのみ成される。この構造により、水が存在することもある口洗浄コップ２からの重量の伝達は、いわば、オーバーフロー管１４に集約される。そして垂直部１６は、その重量を力センサー１０に直接伝える。
【００７５】
この設計の場合、保持具３の中心の領域に、放出をさせることができる。
【００７６】
したがってこの例の実施形態では、力センサー１０は、保持具３、口洗浄コップ２、そこに存在することも有る水、及び、オーバーフロー管に接続する上述した部品（横放出管１５と鉛直部１６）からなるオーバーフロー管１４の、重量からなる重量を検出する。
【００７７】
さらに、第２の例の実施形態による構造の場合では、電気制御部１１により自動的にスイッチがオンオフする痰つぼ洗浄装置を任意に設けることができる。これは、力センサー１０により検出された値に、すなわち口洗浄コップ２の注入状態に依存している。こうすることで、痰つぼ洗浄の水消費を減らすことができる。
【００７８】
センサー要素１３と力センサー１０からの信号による供給装置７の動作に代えて、操作器９の、例えば、短押しの方式に応じた操作で、対応する動作を提供することができる。この方式であるため、操作器９の対応する操作に続いて、供給装置７は、力センサー１２により検出された値が基準値に対応するようになるまでは、供給装置７が動作したままとなる。この場合は、基準値に到達するとすぐに、供給装置７が制御部によって非動作になる。
【００７９】
したがって要約すると、第２の例の実施形態の利点を、特に以下の点で理解することができる。
・患者は、うがいのために、口洗浄コップで所定量の水を常に利用可能となる。
・装置は、重量が異なる口洗浄コップを適用できる。
・別途の操作工程によって供給を動作させる必要がない。
・装置は、痰つぼ洗浄装置の水消費を減らすことができる。
・装置をコンパクトな形に設計できる。
【００８０】
さらに、本発明の装置に、図には示されていないいわゆる痰つぼを普通に取り付けることができる。恐らく患者による後使用に続いて、痰つぼのカップの水を空にすることができる。この場合はさらに、痰つぼ洗浄装置が設けられ、本発明の装置の制御部を、重量やトルクを検出する手段によって検出された重量やトルクに応じて、痰つぼ洗浄装置を動作させるように設計することができる。これにより、痰つぼを洗浄するための水消費を減らすことができる。
【００８１】
さらに、別の有利な発明によれば、ある状況において口洗浄コップの自動的な注入を一時的に禁止するように痰つぼを使用することができる。これは、この接続において、コップ保持具を洗浄している間に口コップの注入が開始されるのは、不都合であると分かっているためである。
【００８２】
この問題は、痰つぼを旋回インの利用位置から旋回アウトの洗浄又は点検位置に変移させることで、回避することができ、コップの注入は、痰つぼが旋回インの状態のときのみに可能となる。一方で、痰つぼが点検位置にあるときは、注入が制御装置によって阻止される。この場合に、保持具にコップが置かれると、そのことが制御装置に認識されるが、痰つぼが待機位置に旋回した後であっても、注入はなお行われない。またこのようにすると、患者は原則として、早い時点で既に注入された冷めた水ではなく、所望の沸点の水を受け取るという利点が達成される。
【符号の説明】
【００８３】
２…口洗浄コップ、３…保持具、４…回転軸、５…位置決め装置、６…圧縮バネ、７…供給、８…保持具止め、９…操作器、１０…力センサー、１１…制御部、１２…保持具の回転位置もしくは回転軸に関連するトルクを検出するセンサー要素、１３…口洗浄コップが保持具上にあるかを判断する識別要素、１４…オーバーフロー管、１５…横放出管、１６…鉛直部分、Ａ…口洗浄コップの第一の位置、Ｂ…口洗浄コップの第二の位置
【図１】
2010508103.tif 000003
【図２】
2010508103.tif 000004
【国際調査報告】
2010508103.tif 000005
2010508103.tif 000006
2010508103.tif 000007
2010508103.tif 000008